(57)【要約】【課題】  天板後端と幕板の上端部間に上部開口部を設け、上部開口部に、幕板上端との間に後部開口部を設けて配線カバーを開閉可能に装着し、該配線カバーの下方に配線受け具を設けた配線機構部を備えた机において、配線カバーの撓みを防止でき、机の背後からの配線コードの処理が可能であり、背面合わせで設置した前後の机間に渡って机上からの作業のみで配線コードを通すことが可能な机の配線装置を提供する。【解決手段】  配線受け具１１には、下部にコード受け部１１Ａを設け、上端部に幕板４の上縁補強枠１２にそれぞれ前方から着脱可能に係合する第１係合部１４Ａと第２係合部１４Ｂを上下に設け、第１係合部を上縁補強枠に係合した状態で、第１係合部と配線カバーの間にコード挿通用開口１６を設け、又は第２係合部を上縁補強枠に係合した状態で、第１係合部でコード挿通用開口を塞ぐのである。【選択図】        図４
2012045110.tif 000002
【特許請求の範囲】
【請求項１】
天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に前記幕板の上縁補強枠にそれぞれ前方から着脱可能に係合する第１係合部と第２係合部を上下に設け、第１係合部を前記上縁補強枠に係合した状態で、前記第１係合部と前記配線カバーの間にコード挿通用開口を設け、又は第２係合部を前記上縁補強枠に係合した状態で、前記第１係合部でコード挿通用開口を塞ぐことを特徴とする机の配線装置。
【請求項２】
前記配線受け具の第１係合部の上方に突出部を設け、第１係合部を前記上縁補強枠に係合した状態で、前記突出部と前記配線カバーの間にコード挿通用開口を設け、第２係合部を前記上縁補強枠に係合した状態で、前記第１係合部と突出部でコード挿通用開口を塞ぐとともに、前記突出部で前記配線カバーの下端を当止する請求項１記載の机の配線装置。
【請求項３】
前記幕板の上端に前方へ折曲して上縁補強枠を形成するとともに、該幕板の上縁補強枠と配線カバーの間に後部開口部を設け、前記配線受け具の第１係合部と第２係合部は、後方へ開放した凹溝部と、該凹溝部の内部で下側面に前記幕板の上縁補強枠の下側折り返し片に係止する係止部とを備えたものであり、更に前記コード受け部の背面に前記幕板の前面に当止する当止部を設けてなる請求項２記載の机の配線装置。
【請求項４】
両側の天板支持脚の後端間に前記幕板を設け、該幕板の上縁補強枠に複数の前記配線受け具を設け、幕板から外した配線受け具の上端の突出部を、他の配線受け具のコード受け部の下面に形成した係合溝に係合し、少なくとも二つの配線受け具を上下に配設してなる請求項１〜３何れか１項に記載の机の配線装置。
【発明の詳細な説明】
【技術分野】
【０００１】
本発明は、机の配線装置に係わり、更に詳しくは机の天板後部に設けた配線装置に関するものである。
【背景技術】
【０００２】
従来から机の天板後端と幕板の上端との間に配線空間を設け、該配線空間の上部開口部に開閉可能な配線カバーを設けるとともに、配線空間内に配線受け具を設けた構造の机は各種提供されている。通常、このような配線機能を備えた机は、天板の後端が幕板よりも前方位置にあり、天板の後端と幕板の上端間を配線カバーで閉塞している。そして、机上で使用する電気電子機器に対する電源コードや通信ケーブルを、配線カバーを開いて配線機構部内に落とし込み、配線受け具で受けることができる。また、配線カバーを閉じたまま机上と配線空間の間を通線できるように、配線カバーの遊端部に可撓性の軟質部材を設けていることも一般的である。更に、側方へ複数の机を並べて設置した場合には、隣り合う机に渡って配線できるように、互いの配線空間の側方を開放できるようになっている。
【０００３】
しかし、前述の配線機能を備えた机は、後方への配線コードの引き出しに若干の問題がある。つまり、机の背面に配線用開口部を設ける場合、幕板の上端と配線カバーとの間に隙間を設けるか、あるいは幕板の上端部に部分的に切欠部を設ける必要があるが、前者の場合には配線カバーのスパンが広いと該配線カバーの中間部に上方から力が加わると撓むといった問題があり、後者の場合には後方配線しないときには机の背面の外観性を損なうので、切欠部を塞ぐ何らかの手段を講じる必要があるばかりでなく、幕板の加工が複雑になってコスト高となる。
【０００４】
特許文献１には、机の後端まで天板が延び、該天板の後端部の下方にコード挿通用の隅間を設けて幕板を取付けるとともに、該幕板の上端に前方へ折曲して形成した上縁補強枠に、配線受け具の上部背面に突設した上下挟持片を着脱可能に係合し、机の後方から前記隙間を通して押し込んだ配線コードを配線受け具のコード受け部で受ける構造の配線装置が開示されている。ここで、配線受け具の上方挟持片の基部から上方の天板裏面に向けて可撓性の軟質片を垂設し、後方から内部が見えないように隠蔽している。
【０００５】
また、特許文献２には、両側の天板支持脚の後端上部に上部フレームを横設し、前記天板の後端と上部フレーム間にコード挿通用の上部開放部を形成し、該上部開放部を閉塞する閉塞部材を上部フレームに係合するとともに、該上部フレームの下方には幕板を上部フレームと嵌合した状態と、上部フレームとの間に後部開放部を設けた状態で付け替え可能にネジ止めし、そして幕板が上部フレームに嵌合した状態で配線受け具の後端上部を上部フレームに係止し、幕板と上部フレーム間に後部開放部を形成した状態で配線受け具の後端上部を幕板の上端部に係止する構造が開示されている。
【０００６】
しかし、特許文献１に記載の構造では、机の後方からコード挿通用の隅間から配線コードを挿入して配線受け具に収容することができるものの、前後に机を背面合わせで設置した場合には、机上からの作業のみで前後の机間に渡って配線コードを通すことはできない。一方、特許文献２に記載の構造では、強度の高い上部フレームが必要になること、幕板を上下に付け替える作業が必要であることから、構造が複雑になってコスト高となるとともに、幕板の付け替え作業に手間がかかる。更に、前記同様に、前後に机を背面合わせで設置した場合には、上部フレームが邪魔になって机上からの作業のみで前後の机間に渡って配線コードを通すことはできない。
【先行技術文献】
【特許文献】
【０００７】
【特許文献１】実公平５−２２０９８号公報
【特許文献２】特許第４４０９２５４号公報
【発明の概要】
【発明が解決しようとする課題】
【０００８】
そこで、本発明が前述の状況に鑑み、解決しようとするところは、天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線カバーの撓みを防止することが可能であるとともに、机の背後からの配線コードの処理が可能であり、更に背面合わせで設置した前後の机間に渡って机上からの作業のみで配線コードを通すことが可能な机の配線装置を提供する点にある。
【課題を解決するための手段】
【０００９】
本発明は、前述の課題解決のために、天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に前記幕板の上縁補強枠にそれぞれ前方から着脱可能に係合する第１係合部と第２係合部を上下に設け、第１係合部を前記上縁補強枠に係合した状態で、前記第１係合部と前記配線カバーの間にコード挿通用開口を設け、又は第２係合部を前記上縁補強枠に係合した状態で、前記第１係合部でコード挿通用開口を塞ぐことを特徴とする机の配線装置を構成した（請求項１）。
【００１０】
ここで、前記配線受け具の第１係合部の上方に突出部を設け、第１係合部を前記上縁補強枠に係合した状態で、前記突出部と前記配線カバーの間にコード挿通用開口を設け、第２係合部を前記上縁補強枠に係合した状態で、前記第１係合部と突出部でコード挿通用開口を塞ぐとともに、前記突出部で前記配線カバーの下端を当止することがより好ましい（請求項２）。
【００１１】
また、前記幕板の上端に前方へ折曲して上縁補強枠を形成するとともに、該幕板の上縁補強枠と配線カバーの間に後部開口部を設け、前記配線受け具の第１係合部と第２係合部は、後方へ開放した凹溝部と、該凹溝部の内部で下側面に前記幕板の上縁補強枠の下側折り返し片に係止する係止部とを備えたものであり、更に前記コード受け部の背面に前記幕板の前面に当止する当止部を設けてなることも好ましい（請求項３）。
【００１２】
そして、両側の天板支持脚の後端間に前記幕板を設け、該幕板の上縁補強枠に複数の前記配線受け具を設け、幕板から外した配線受け具の上端の突出部を、他の配線受け具のコード受け部の下面に形成した係合溝に係合し、少なくとも二つの配線受け具を上下に配設してなることも好ましい（請求項４）。
【発明の効果】
【００１３】
以上にしてなる請求項１に係る発明の机の配線装置は、天板後端と幕板の上端部間に上部開口部を設け、該上部開口部に、前記幕板上端との間に後部開口部を設けて配線カバーを開閉可能に装着するとともに、該配線カバーの下方に配線受け具を設けた配線機構部を備えた机において、前記配線受け具には、下部にコード受け部を設け、上端部に前記幕板の上縁補強枠にそれぞれ前方から着脱可能に係合する第１係合部と第２係合部を上下に設け、第１係合部を前記上縁補強枠に係合した状態で、前記第１係合部と前記配線カバーの間にコード挿通用開口を設け、又は第２係合部を前記上縁補強枠に係合した状態で、前記第１係合部でコード挿通用開口を塞ぐものであるので、配線受け具の第１係合部を幕板の上縁補強枠に係合した場合、第１係合部と配線カバーの間にコード挿通用開口を設けることができるので、このコード挿通用開口から配線コードをコード受け部に落とし込むことができ、机の背後からの配線コードを処理することができ、更に背面合わせに設置した前後の机間に渡ってコード挿通用開口を通して配線コードを配線することができ、その作業は配線カバーを開放した状態で机上から簡単に行うことができ、一方、配線受け具の第２係合部を幕板の上縁補強枠に係合した場合、第１係合部でコード挿通用開口を塞ぐことができるので、後部開口部を通して机の後方から内部が見えることを防止できる。また、ワゴンデスクを天板下に押し込み格納する場合に、邪魔になる場合には配線受け具を簡単に取り外すことができる。
【００１４】
請求項２によれば、前記配線受け具の第１係合部の上方に突出部を設け、第１係合部を前記上縁補強枠に係合した状態で、前記突出部と前記配線カバーの間にコード挿通用開口を設け、第２係合部を前記上縁補強枠に係合した状態で、前記第１係合部と突出部でコード挿通用開口を塞ぐとともに、前記突出部で前記配線カバーの下端を当止するので、第１係合部と突出部でコード挿通用開口を完全に塞ぐことができるとともに、配線カバーのスパンが長くても配線受け具の突出部で下端を当止することにより撓みを防止することができる。
【００１５】
請求項３によれば、前記幕板の上端に前方へ折曲して上縁補強枠を形成するとともに、該幕板の上縁補強枠と配線カバーの間に後部開口部を設け、前記配線受け具の第１係合部と第２係合部は、後方へ開放した凹溝部と、該凹溝部の内部で下側面に前記幕板の上縁補強枠の下側折り返し片に係止する係止部とを備えたものであり、更に前記コード受け部の背面に前記幕板の前面に当止する当止部を設けてなるので、前方から第１係合部又は第２係合部の凹溝部を幕板の上縁補強枠に嵌合し、上縁補強枠の下側折り返し片に凹溝部内の係止部を係止して抜止めし、更にコード受け部の背面に設けた当止部を幕板の前面に当止した状態に配線受け具を安定に保持することができ、そして配線受け具の第２係合部を幕板の上縁補強枠に係合した場合には、配線カバーと幕板の上端間に第１係合部の凹溝部が臨むので、この凹溝部に机の後方から配線コードを押し込んで配線することができる。
【００１６】
請求項４によれば、両側の天板支持脚の後端間に前記幕板を設け、該幕板の上縁補強枠に複数の前記配線受け具を設け、幕板から外した配線受け具の上端の突出部を、他の配線受け具のコード受け部の下面に形成した係合溝に係合し、少なくとも二つの配線受け具を上下に配設してなるので、天板下へワゴンデスクを押し込み格納する際に、邪魔になる配線受け具を外して、邪魔にならない位置の配線受け具の下方に連結することができる。
【図面の簡単な説明】
【００１７】
【図１】本発明の机の配線装置を適用した机の正面図である。
【図２】同じく机の側面図である。
【図３】本発明の机の配線装置の第１実施形態を示す部分断面図である。
【図４】同じく前後に背面合わせで設置した机における配線装置の使用形態を示す部分断面図である。
【図５】外した配線受け具を他の配線受け具の下方に連結した状態の部分断面図である。
【図６】配線カバーの部分分解斜視図である。
【図７】配線カバーの開閉機構部を示す分解斜視図である。
【図８】スパンが長い配線カバーを左右に分割配置する場合の中間開閉機構部を示す分解斜視図である。
【発明を実施するための形態】
【００１８】
次に、添付図面に示した実施形態に基づき、本発明を更に詳細に説明する。図１及び図２は本発明の机の配線装置を適用した机を示し、図３〜図５は本発明の第１実施形態を示し、図６〜図８は配線カバー及びその開閉機構部を示し、図中符号１は机、２は脚部材、３は袖キャビネット、４は幕板、５は天板、６は配線機構部、７はバックパネル、８はサイドパネルをそれぞれ示している。
【００１９】
本発明に係る机１は、片袖タイプを示し、一側に脚部材２を配し、他側に袖キャビネット３を配し、脚部材２と袖キャビネット３の後端部側面間に幕板４を連結し、そして脚部材２と袖キャビネット３の上面に天板５を連結したものである。平机タイプでは、両側に脚部材２，２を配設し、両袖タイプでは両側に袖キャビネット３，３を配置する。また、前記天板５の後端と前記幕板４の間には配線機構部６が設けられている。更に、机１の天板５の後端部にはバックパネル７を設けたり、一側又は両側にサイドパネル８を設けることもある。本発明において、天板支持脚は前記脚部材２と袖キャビネット３が対応する。
【００２０】
本発明の机の配線装置は、図３に示すように、天板５後端と幕板４の上端部間に上部開口部９を設け、該上部開口部９に、前記幕板上端との間に後部開口部１３を設けて配線カバー１０を開閉可能に装着するとともに、該配線カバー１０の下方に配線受け具１１を設けた配線機構部６を備えた机１において、前記配線受け具１１には、下部にコード受け部１１Ａを設け、上端部に前記幕板４の上縁補強枠１２にそれぞれ前方から着脱可能に係合する第１係合部１４Ａと第２係合部１４Ｂを上下に設け、第１係合部１４Ａを前記上縁補強枠１２に係合した状態で、前記第１係合部１４Ａと前記配線カバー１０の間にコード挿通用開口１６を設け（図４参照）、又は第２係合部１４Ｂを前記上縁補強枠１２に係合した状態で、前記第１係合部１４Ａでコード挿通用開口１６を塞ぐようにしたものである（図３参照）。尚、前記第１係合部１４Ａと第２係合部１４Ｂを併せて係合部１４と称する。
【００２１】
更に詳しくは、前記配線受け具１１の第１係合部１４Ａの上方に突出部１５を設け、第１係合部１４Ａを前記上縁補強枠１２に係合した状態で、前記突出部１５と前記配線カバー１０の間にコード挿通用開口１６を設け、第２係合部１４Ｂを前記上縁補強枠１２に係合した状態で、前記第１係合部１４Ａと突出部１５でコード挿通用開口１６を塞ぐとともに、前記突出部１５で前記配線カバー１０の下端を当止して、該配線カバー１０の撓みを防止するのである。
【００２２】
前記配線受け具１１は、合成樹脂製の押し出し成形品であり、適宜な長さに切断して使用する。本実施形態では、ワゴンデスクの横幅に略等しい約４００ｍｍの長さに設定し、それを複数個前記幕板４に装着して使用する。前記配線受け具１１の第１係合部１４Ａと第２係合部１４Ｂは、後方へ開放した凹溝部１７と、該凹溝部１７の内部で下側面に前記幕板４の上縁補強枠１２の下側折り返し片１８に係止する係止部１９とを備えたものであり、更に前記コード受け部１１Ａの背面に前記幕板４の前面に当止する当止部２０を設けている。また、前記配線受け具１１のコード受け部１１Ａの下面に、他の前記配線受け具１１の上端の突出部１５を係合し得る係合溝２１を形成している（図５参照）。具体的には、前記突出部１５は断面略Ｔ字形であり、それに応じて前記係合溝２１は開口部が狭く、奥部が広がった断面略Ｔ字形の溝形状に形成し、突出部１５と係合溝２１は同一垂線上に形成している。
【００２３】
前記幕板４の上縁補強枠１２は、表面板２２の上縁を前方に直角に折曲して上板２３を形成し、該上板２３の前縁を下方へ直角に折曲して前板２４を形成し、それから前板２４の下縁を後方へ直角に折曲して前記折り返し片１８を形成した形状である。そして、前記上縁補強枠１２を包み込むように前記係合部１４の凹溝部１７に係合し、前記折り返し片１８の後端を段部となした前記係止部１９に係止し、抜止め係合するようになっている。前記幕板４の上縁補強枠１２に前記配線受け具１１の係合部１４を係合するとともに、コード受け部１１Ａの背面に設けた当止部２０を幕板４の表面板２２の前面側に当止した状態で、コード受け部１１Ａを水平な正確な姿勢に維持するのである。
【００２４】
図３は、机１の後方を開放した配置であり、そして前記バックパネル７を設けない使用形態である。つまり、机１の後方は通路となっており、人が机１の後部に居る可能性のある場合である。この場合、前記配線カバー１０の両側端部は後述の開閉機構部で開閉可能に支持されているが、その中間部で後端部下方には後部開口部１３を設けて幕板４を取付けているので、このまま配線カバー１０の後端部に上方から凭れかかるなどの下向きの力が作用すると、該配線カバー１０は下方へ大きく撓んで破損する可能性がある。そこで、本発明では、このような使用形態の場合に、前記配線受け具１１の第２係合部１４Ｂを前記幕板４の上縁補強枠１２に係合し、前記突出部１５で配線カバー１０の後部下端を当止し、撓みを防止するようにしたのである。この状態では、第１係合部１４Ａが後部開口部１３を塞いでいるので、後方から配線コードをコード受け部４に落とし込むことはできないが、机１の後方が通路となっている場合には、前記後部開口部が閉塞され、配線機構部６の内部が隠蔽されているのは外観上において好ましい。どうしても机１の後部に配線する必要がある場合には、前記第１係合部１４Ａの後方へ開放した凹溝部１７を利用して配線することが可能である。
【００２５】
一方、図４に示すように、前後に机１，１を背面合わせに設置する場合には、前後の境界部分に前記バックパネル７を配置して、互いに机１に着座している人から反対側に着座している人が見えない方が仕事に集中できる。このような机１の後端部にバックパネル７を設ける場合には、その部分に対応する配線カバー１０の後端部を押し付けるような力が加わる可能性は非常に少ない。その半面、前後の机１，１に渡って配線コードを配線する状況が多くなる。そこで、本発明では、このような使用形態の場合に、前記配線受け具１１の第１係合部１４Ａを前記幕板４の上縁補強枠１２に係合し、突出部１５の上方にコード挿通用開口１６を確保し、前後の机１，１のそれぞれのコード挿通用開口１６，１６が連通し、配線コードを前後の机１，１に渡って配線できるようになる。この配線作業は、それぞれの机１，１の配線カバー１０，１０を開放して配線機構部６，６を露出させることによって、机上からの作業のみで行うことができる。
【００２６】
図５に示すように、複数の配線受け具１１，…のうち、少なくとも一つを幕板４の上縁補強枠１２から外し、その外した配線受け具１１の上端の突出部１５を他の配線受け具１１の係合溝２１に側方からスライド係合させて複数の配線受け具１１，１１を上下に配設することも可能である。このような状況は、前記脚部材２と袖キャビネット３間、あるいは両脚部材２，２間の足入れ空間部に移動可能なワゴンデスク（図示せず）を押し込み格納する際に、該ワゴンデスクの奥行幅が広く背後に配線受け具１１が存在すると前端部が天板５から前方へ突出する場合に生じる。つまり、ワゴンデスクの押し込み格納場所に対応する配線受け具１１を外し、隣接する他の配線受け具１１の下方に付け替えるのである。
【００２７】
次に、図６〜図８に基づいて、前記配線カバー１０の開閉機構の具体的構造を説明する。前記配線カバー１０は、前記配線機構部６の上部開口部９を開閉すべく、両端部を端部支承具２５，２５で回転可能に支持するとともに、該端部支承具２５に対して着脱を容易にした構造である。また、前記配線カバー１０は、水平な閉止状態と略垂直な開放状態とに弾性的に状態保持できるようになっている。
【００２８】
図６に示すように、前記配線カバー１０は、金属製の板金加工品あるいはアルミニウム又は合成樹脂の押出し成形品からなるカバー本体２６の両端に、合成樹脂製の端部材２７，２７を取付けて構成している。本実施形態のカバー本体２６は、板金加工品であり、前記配線機構部６の上部開口部９を塞ぐ閉塞板２８の後端部に下方斜め前方に向いた傾斜板２９を形成するとともに、該傾斜板２９の前縁に立上片３０を形成し、閉塞板２８の前縁に断面略Ｚ字形に折曲した前片３１を形成し、曲げ強度を高めた構造としている。そして、前記カバー本体２６の前片３１には合成樹脂製の縁部材３２を嵌着し、また前記立上片３０の切断縁を隠蔽するように合成樹脂製の保護部材３３を嵌着している。前記縁部材３２は、前方へ張り出した軟質片３４を二色成形によって一体形成している。前記配線カバー１０を閉じた状態でも、前記軟質片３４が変形して前記天板５の後端との間に配線コードを引き出せるようにしている。前記カバー本体２６の端部に嵌着する端部材２７は、前記閉塞板２８、傾斜板２９及び前片３１で形成される空間内に嵌合する嵌合部３５と、カバー本体２６の側端縁を覆う鍔部３６を形成している。
【００２９】
そして、前記端部材２７の外側面の後部には、下方斜め後方に解放した傾斜溝３７を形成するとともに、該傾斜溝３７の下方開放側の下側に第１係合凹部３８と上側に弾性的な第２係合凹部３９を形成し、更に外側面の前後中央部には下方へ向いた弾性的なリップ片４０を形成している。両側の端部材２７，２７は、反対称形である。一方、前記端部支承具２５は、前記脚部材２の上面後端部あるいは前記袖キャビネット３の上面の外側後端部に取付けて、両側の端部支承具２５，２５間に配置した前記配線カバー１０を開閉可能に支持する。具体的には、図７に示すように、前記端部支承具２５の内側面後部には、上側に前記傾斜溝３７に係合して配線カバー１０を回動可能に支持する軸部４１を突設するとともに、その下方に前記第１係合凹部３８又は第２係合凹部３９に係合する規制ピン４２を突設し、更に内側面中央部には配線カバー１０の閉止時に前記リップ片４０の先端部を係止する突部４３と、該リップ片４０を突部４３まで案内する円弧状の案内部４４を形成している。
【００３０】
そして、前記配線カバー１０の両側の端部材２７，２７に形成した傾斜溝３７，３７の方向を略垂直に向けた状態で、後部を上部開口部９内に落とし込むことによって、前記傾斜溝３７，３７に、両側に取付けた前記端部支承具２５，２５のそれぞれの軸部４１と規制ピン４２を受け入れ、該軸部４１を傾斜溝３７の上端部に回動可能に係合させる。その後、前記配線カバー１０を、前記軸部４１を中心に下方へ回動させて略水平状態にすると、前記規制ピン４２が第１係合凹部３８に係合するとともに、前記リップ片４０の先端部が案内部４４で案内され、該リップ片４０が弾性変形しながら突部４３を超えて該突部４３の下側に係止する。この状態で、前記配線カバー１０が配線機構部６の上部開口部９を閉止した状態を維持する。前記配線受け具１１の突出部１５で前記配線カバー１０の傾斜溝３７の下端を当止するのである。逆に、前記配線カバー１０を、前記軸部４１を中心に上方へ回動させて略垂直状態にすると、前記規制ピン４２が第２係合凹部３９に弾性的に係合して開放状態を維持する。
【００３１】
図３及び図８に示すように、前記配線カバー１０が閉止状態で、前縁部を当止して撓みを防止するために、前記天板５の後端部の左右中間部にブロック状の中間支持部材４５を取付けて、その上面の当止部４６に前記縁部材３２を当止するようにしている。前記中間支持部材４５を天板５の後端に取付ける構造は任意であるが、本実施形態では中間支持部材４５の前側上部に前記天板５の後端下部に係合する凹陥部４７を形成し、該凹陥部４７の上部両側に上向きフック４８，４８を突設するとともに、該凹陥部４７の下部中央部に上向き係合爪４９を突設している。一方、前記天板５の後端面の適所には、前記中間支持部材４５の上向きフック４８，４８を挿入する角孔５０，５０を形成するとともに、前記天板５の下面後端部に前記上向き係合爪４９を係合する係合孔５１を形成している。
【００３２】
また、前記天板５の横幅が広く、両側の端部支承具２５，２５のスパンが広い場合には、前記配線カバー１０が長くなり過ぎるので、複数の配線カバー１０，１０に分割する。その場合、図３及び図８に示すように、各配線カバー１０，１０の内側を回転可能に支持するために、前記中間支持部材４５に中間支承具５２を着脱可能に連結する。この中間支承具５２には、前記中間支持部材４５に連結する本体部５３の中央部から両配線カバー１０，１０を回動可能に支持する支持板５４が後方に延設されている。前記支持板５４の両側面には、前記軸部４１、規制ピン４２、突部４３及び案内部４４と同じ機能を有する軸部５５、規制ピン５６、突部５７及び案内部５８をそれぞれ形成している。また、前記中間支持部材４５に中間支承具５２を着脱可能に連結する構造は、前記天板５の後端部上方に前記バックパネル７が存在していても連結できるように、側方から互いに係合する構造とした。つまり、前記中間支持部材４５の後部には連結用凹部５９を形成するとともに、前記中間支承具５２の本体部５３の前部には、前記連結用凹部５９に側方からスライド係合する連結用凸部６０を突設している。
【符号の説明】
【００３３】
１  机、                  ２  脚部材、
３  袖キャビネット、      ４  幕板、
５  天板、                ６  配線機構部、
７  バックパネル、        ８  サイドパネル、
９  上部開口部、          １０  配線カバー、
１１  配線受け具、        １２  上縁補強枠、
１３  後部開口部、        １１Ａ  コード受け部、
１４  係合部、
１４Ａ  第１係合部、      １４Ｂ  第２係合部、
１５  突出部、            １６  コード挿通用開口、
１７  凹溝部、            １８  折り返し片、
１９  係止部、            ２０  当止部、
２１  係合溝、            ２２  表面板、
２３  上板、              ２４  前板、
２５  端部支承具、        ２６  カバー本体、
２７  端部材、            ２８  閉塞板、
２９  傾斜板、            ３０  立上片、
３１  前片、              ３２  縁部材、
３３  保護部材、          ３４  軟質片、
３５  嵌合部、            ３６  鍔部、
３７  傾斜溝、            ３８  第１係合凹部、
３９  第２係合凹部、      ４０  リップ片、
４１  軸部、              ４２  規制ピン、
４３  突部、              ４４  案内部、
４５  中間支持部材、      ４６  当止部、
４７  凹陥部、            ４８  上向きフック、
４９  上向き係合爪、      ５０  角孔、
５１  係合孔、            ５２  中間支承具、
５３  本体部、            ５４  支持板、
５５  軸部、              ５６  規制ピン、
５７  突部、              ５８  案内部、
５９  連結用凹部、        ６０  連結用凸部。
【図１】
2012045110.tif 000003
【図２】
2012045110.tif 000004
【図３】
2012045110.tif 000005
【図４】
2012045110.tif 000006
【図５】
2012045110.tif 000007
【図６】
2012045110.tif 000008
【図７】
2012045110.tif 000009
【図８】
2012045110.tif 000010